(57)【要約】【課題】本発明は省エネでエコなシェア乗物を開示した。【解決手段】本発明は省エネでエコなシェア乗物を開示し、車身ピラーを含み、前記車身ピラーの右側には発電ブロックが設置され、前記発電ブロックと前記車身ピラーとはヒンジで連結され、前記車身ピラーの中には作業チャンバが設置され、前記作業チャンバの上端壁には電源が嵌め込むように設置され、前記発電ブロックの中には上方に開口した発電チャンバが設置され、前記発電チャンバの中には発電機構が設置され、本装置は下り坂で風力を電気に変えて貯蔵でき、且つ緩衝作用も果たし、坂を下るときの衝撃力を軽減し、利用者を保護でき、また、上り坂で内部の動力機構を起動すれば、坂を上るのに助力でき、より楽にサイクリングできる。【選択図】図１
2020203661.tif 000002
【特許請求の範囲】
【請求項１】
正面視で、車身ピラーを含み、前記車身ピラーの右側には発電ブロックが設置され、前記発電ブロックと前記車身ピラーとはヒンジで連結され、
前記車身ピラーの中には作業チャンバが設置され、前記作業チャンバの上端壁には電源が嵌め込むように設置され、前記発電ブロックの中には上方に開口した発電チャンバが設置され、前記発電チャンバの中には発電機構が設置され、前記発電機構は回転可能な羽根を含み、装置が下り坂にある時に、前記羽根は回転することで発電でき、且つ電気を前記電源に貯蔵でき、
前記作業チャンバの中には動力機構が設置され、前記動力機構は前記作業チャンバの下端壁の中に位置する弾性溝を含み、前記弾性溝が上方に開口し、前記弾性溝の左端壁には弾性ばねが固定的に設置され、前記弾性ばねの右端には前記弾性溝とスライド可能に連結された弾性ブロックが固定的に設置され、前記弾性ブロックの上端は前記作業チャンバの中に位置し、且つ前記弾性ブロックの上端にはモータが固定的に設置され、前記モータの左側には前記モータで駆動される第一傘歯車が設置され、前記第一傘歯車の左側には回転可能な第二傘歯車が設置され、前記モータの上側には回転可能な傾斜棒が設置され、前記傾斜棒の上側には回転可能な回転棒が設置され、前記回転棒が回転することで前記傾斜棒の回転を連動させることができ、前記傾斜棒の回転は前記モータを通電し作動させることができ、それにより前記第一傘歯車を回転連動させ、前記傾斜棒の回転は前記第一傘歯車を左へ移動させ前記第二傘歯車と噛み合わせることができ、装置が坂を登る時に、前記第二傘歯車の回転は推進力を提供でき、
前記発電機構の下側には伝動機構が設置され、装置が坂を登る時に、前記伝動機構は前記発電機構を回転連動させることができ、それにより前記発電機構の発電能力は高められ、装置が坂を下る時に、前記伝動機構は前記動力機構を作動させることができることを特徴とする省エネでエコなシェア乗物。
【請求項２】
前記発電機構は前記発電チャンバの左端壁と固定的に連結された発電機も含み、前記発電機と前記電源とは第一電線によって連結され、前記発電機の下端面には発電軸が回転可能に設置され、前記発電軸の下端には小型歯車が固定的に設置され、前記発電チャンバの下端壁には旋転軸が回転可能に設置され、前記旋転軸には前記羽根が四つ固定的に設置され、前記羽根の下側には前記旋転軸と固定的に連結された大型歯車が設置され、前記大型歯車と前記小型歯車とは噛み合うことで動力を伝達できることを特徴とする請求項１に記載の省エネでエコなシェア乗物。
【請求項３】
前記動力機構は前記電源の下側に位置するプラグも含み、前記プラグと前記電源とは二つの圧力ばねによって固定的に連結され、前記プラグと前記モータとは第二電線によって連結され、前記作業チャンバの後端壁の中には第一捻り軸が回転可能に設置され、前記第一捻り軸と前記作業チャンバの後端壁との間には第一捻りばねが設置され、前記第一捻り軸にはリールと前記傾斜棒とが固定的に設置され、前記傾斜棒は前記リールの前側に位置し、前記第一捻り軸の上側には前記作業チャンバの後端壁と固定的に連結されたガイドブロックと定位棒とが設置され、前記定位棒は前記ガイドブロックの上側に位置し、前記定位棒には前記回転棒が回転可能に設置され、前記定位棒と前記回転棒との間には第二捻りばねが設置され、前記リールには前記ガイドブロックを通過し、且つ前記回転棒の下端面と固定的に連結されたロープが巻き付いており、前記モータの左端面にはモータ軸が回転可能に設置され、前記モータ軸の左端は外部に位置し、且つ前記モータ軸の左端には前記第一傘歯車が固定的に設置されていることを特徴とする請求項１に記載の省エネでエコなシェア乗物。
【請求項４】
前記伝動機構は前記車身ピラーの右端面と固定的に連結されたトップチューブを含み、前記トップチューブの中には方形チャンバが設置され、前記方形チャンバの上端壁は頂部溝によって外部と連通し、前記方形チャンバの下端壁は底部溝によって外部と連通し、前記方形チャンバの後端壁の中には第二捻り軸が回転可能に設置され、前記第二捻り軸と前記方形チャンバの後端壁との間には第二捻りばねが設置され、前記第二捻り軸には伝動歯車とカムとが固定的に設置され、前記カムは前記伝動歯車の前側に位置し、前記カムの上端は前記頂部溝を貫通していることを特徴とする請求項１に記載の省エネでエコなシェア乗物。
【請求項５】
前記方形チャンバの右端壁の中には左方に開口した昇降溝が設置され、前記昇降溝の上端壁には昇降ばねが固定的に設置され、前記昇降ばねの下端には前記昇降溝とスライド可能に連結された昇降ブロックが固定的に設置され、前記昇降ブロックの左端面には左端が前記方形チャンバの中に位置する昇降棒が固定的に設置され、前記昇降棒の左端には前記伝動歯車と噛み合うことで動力を伝達できるラック棒が固定的に設置され、前記ラック棒の下端は前記底部溝を貫通し、前記方形チャンバの後端壁には重力軸が回転可能に設置され、前記重力軸には下端が前記底部溝を貫通した重力棒が固定的に設置され、前記重力棒の下端には鉄球が固定的に設置されていることを特徴とする請求項４に記載の省エネでエコなシェア乗物。
【請求項６】
前記トップチューブの右端にはヘッドチューブが固定的に設置され、前記ヘッドチューブの中には前輪軸が回転可能に設置され、前記前輪軸には前輪が固定的に設置され、前記ヘッドチューブの上端にはハンドルが装着され、前記車身ピラーの下端には円形ブロックが固定的に設置され、前記円形ブロックの中には動力軸が回転可能に設置され、前記円形ブロックのヘッドチューブとは支持棒によって固定的に連結され、前記車身ピラーの左端面にはシートステーが固定的に設置され、前記シートステーの中には後輪軸が回転可能に設置され、前記後輪軸には前記第二傘歯車と後輪とが固定的に設置され、前記第二傘歯車は前記後輪の前側に位置することを特徴とする請求項１又は請求項４に記載の省エネでエコなシェア乗物。
【請求項７】
前記第二捻りばねと前記昇降ばねとは正常状態にあることを特徴とする請求項４又は請求項５に記載の省エネでエコなシェア乗物。
【請求項８】
前記大型歯車は前記小型歯車より直径が長いため、発電に有利であることを特徴とする請求項２に記載の省エネでエコなシェア乗物。
【発明の詳細な説明】
【技術分野】
【０００１】
本発明は交通機関分野を取り上げ、具体的には省エネでエコなシェア乗物である。
【背景技術】
【０００２】
シェア自転車は今時に広く利用されているシェア乗物であり、その利用はエコに役に立ち、しかし、今のシェア自転車は坂を上るときに体力がかかり、下る時に力いっぱいでブレーキをかける必要があり、危険である。また、サイクリングに他の輔助を提供できない。
【先行技術文献】
【特許文献】
【０００３】
【特許文献１】中国特許出願公開第107323593号明細書
【発明の概要】
【発明が解決しようとする課題】
【０００４】
本発明は省エネでエコなシェア乗物を提供し、既存技術にある上記の欠点を解消することを目的とする。
【課題を解決するための手段】
【０００５】
本発明は以下の技術プランによって実現する：本発明の省エネでエコなシェア乗物は、車身ピラーを含み、前記車身ピラーの右側には発電ブロックが設置され、前記発電ブロックと前記車身ピラーとはヒンジで連結されている。
【０００６】
前記車身ピラーの中には作業チャンバが設置され、前記作業チャンバの上端壁には電源が嵌め込むように設置され、前記発電ブロックの中には上方に開口した発電チャンバが設置され、前記発電チャンバの中には発電機構が設置され、前記発電機構は回転可能な羽根を含み、装置が下り坂にある時に、前記羽根は回転することで発電でき、且つ電気を前記電源に貯蔵できる。
【０００７】
前記作業チャンバの中には動力機構が設置され、前記動力機構は前記作業チャンバの下端壁の中に位置する弾性溝を含み、前記弾性溝が上方に開口し、前記弾性溝の左端壁には弾性ばねが固定的に設置され、前記弾性ばねの右端には前記弾性溝とスライド可能に連結された弾性ブロックが固定的に設置され、前記弾性ブロックの上端は前記作業チャンバの中に位置し、且つ前記弾性ブロックの上端にはモータが固定的に設置され、前記モータの左側には前記モータで駆動される第一傘歯車が設置され、前記第一傘歯車の左側には回転可能な第二傘歯車が設置され、前記モータの上側には回転可能な傾斜棒が設置され、前記傾斜棒の上側には回転可能な回転棒が設置され、前記回転棒が回転することで前記傾斜棒の回転を連動させることができ、前記傾斜棒の回転は前記モータを通電し作動させることができ、それにより前記第一傘歯車を回転連動させ、前記傾斜棒の回転は前記第一傘歯車を左へ移動させ前記第二傘歯車と噛み合わせることができ、装置が坂を登る時に、前記第二傘歯車の回転は推進力を提供できる。
【０００８】
前記発電機構の下側には伝動機構が設置され、装置が坂を登る時に、前記伝動機構は前記発電機構を回転連動させることができ、それにより前記発電機構の発電能力は高められ、装置が坂を下る時に、前記伝動機構は前記動力機構を作動させることができる。
【０００９】
好適な技術プランとして、前記発電機構は前記発電チャンバの左端壁と固定的に連結された発電機も含み、前記発電機と前記電源とは第一電線によって連結され、前記発電機の下端面には発電軸が回転可能に設置され、前記発電軸の下端には小型歯車が固定的に設置され、前記発電チャンバの下端壁には旋転軸が回転可能に設置され、前記旋転軸には前記羽根が四つ固定的に設置され、前記羽根の下側には前記旋転軸と固定的に連結された大型歯車が設置され、前記大型歯車と前記小型歯車とは噛み合うことで動力を伝達できる。
【００１０】
好適な技術プランとして、前記動力機構は前記電源の下側に位置するプラグも含み、前記プラグと前記電源とは二つの圧力ばねによって固定的に連結され、前記プラグと前記モータとは第二電線によって連結され、前記作業チャンバの後端壁の中には第一捻り軸が回転可能に設置され、前記第一捻り軸と前記作業チャンバの後端壁との間には第一捻りばねが設置され、前記第一捻り軸にはリールと前記傾斜棒とが固定的に設置され、前記傾斜棒は前記リールの前側に位置し、前記第一捻り軸の上側には前記作業チャンバの後端壁と固定的に連結されたガイドブロックと定位棒とが設置され、前記定位棒は前記ガイドブロックの上側に位置し、前記定位棒には前記回転棒が回転可能に設置され、前記定位棒と前記回転棒との間には第二捻りばねが設置され、前記リールには前記ガイドブロックを通過し、且つ前記回転棒の下端面と固定的に連結されたロープが巻き付いており、前記モータの左端面にはモータ軸が回転可能に設置され、前記モータ軸の左端は外部に位置し、且つ前記モータ軸の左端には前記第一傘歯車が固定的に設置されている。
【００１１】
好適な技術プランとして、前記伝動機構は前記車身ピラーの右端面と固定的に連結されたトップチューブを含み、前記トップチューブの中には方形チャンバが設置され、前記方形チャンバの上端壁は頂部溝によって外部と連通し、前記方形チャンバの下端壁は底部溝によって外部と連通し、前記方形チャンバの後端壁の中には第二捻り軸が回転可能に設置され、前記第二捻り軸と前記方形チャンバの後端壁との間には第二捻りばねが設置され、前記第二捻り軸には伝動歯車とカムとが固定的に設置され、前記カムは前記伝動歯車の前側に位置し、前記カムの上端は前記頂部溝を貫通している。
【００１２】
好適な技術プランとして、前記方形チャンバの右端壁の中には左方に開口した昇降溝が設置され、前記昇降溝の上端壁には昇降ばねが固定的に設置され、前記昇降ばねの下端には前記昇降溝とスライド可能に連結された昇降ブロックが固定的に設置され、前記昇降ブロックの左端面には左端が前記方形チャンバの中に位置する昇降棒が固定的に設置され、前記昇降棒の左端には前記伝動歯車と噛み合うことで動力を伝達できるラック棒が固定的に設置され、前記ラック棒の下端は前記底部溝を貫通し、前記方形チャンバの後端壁には重力軸が回転可能に設置され、前記重力軸には下端が前記底部溝を貫通した重力棒が固定的に設置され、前記重力棒の下端には鉄球が固定的に設置されている。
【００１３】
好適な技術プランとして、前記トップチューブの右端にはヘッドチューブが固定的に設置され、前記ヘッドチューブの中には前輪軸が回転可能に設置され、前記前輪軸には前輪が固定的に設置され、前記ヘッドチューブの上端にはハンドルが装着され、前記車身ピラーの下端には円形ブロックが固定的に設置され、前記円形ブロックの中には動力軸が回転可能に設置され、前記円形ブロックのヘッドチューブとは支持棒によって固定的に連結され、前記車身ピラーの左端面にはシートステーが固定的に設置され、前記シートステーの中には後輪軸が回転可能に設置され、前記後輪軸には前記第二傘歯車と後輪とが固定的に設置され、前記第二傘歯車は前記後輪の前側に位置する。
【００１４】
好適な技術プランとして、前記第二捻りばねと前記昇降ばねとは正常状態にある。
【００１５】
好適な技術プランとして、前記大型歯車は前記小型歯車より直径が長いため、発電に有利である。
【発明の効果】
【００１６】
本発明のメリットは：本装置は下り坂で風力を電気に変えて貯蔵でき、且つ緩衝作用も果たし、坂を下るときの衝撃力を軽減し、利用者を保護でき、また、上り坂で内部の動力機構を起動すれば、坂を上るのに助力でき、より楽にサイクリングできる。
【図面の簡単な説明】
【００１７】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の省エネでエコなシェア乗物の全体断面の正面構成略図
【図２】図２は本発明の省エネでエコなシェア乗物の外観略図
【図３】図３は図１におけるＡの拡大略図
【図４】図４は図１におけるＢの拡大略図
【図５】図５は図３におけるＣ―Ｃ方向からの略図
【図６】図６は図４におけるＤ―Ｄ方向からの略図
【発明を実施するための形態】
【００１９】
附図を合わせて、本発明の省エネでエコなシェア乗物は、車身ピラー１０を含み、前記車身ピラー１０の右側には発電ブロック１７が設置され、前記発電ブロック１７と前記車身ピラー１０とはヒンジで連結されている。
【００２０】
前記車身ピラー１０の中には作業チャンバ４４が設置され、前記作業チャンバ４４の上端壁には電源４８が嵌め込むように設置され、前記発電ブロック１７の中には上方に開口した発電チャンバ１９が設置され、前記発電チャンバ１９の中には発電機構８１が設置され、前記発電機構８１は回転可能な羽根１６を含み、装置が下り坂にある時に、前記羽根１６は回転することで発電でき、且つ電気を前記電源４８に貯蔵できる。
【００２１】
前記作業チャンバ４４の中には動力機構８０が設置され、前記動力機構８０は前記作業チャンバ４４の下端壁の中に位置する弾性溝５７を含み、前記弾性溝５７が上方に開口し、前記弾性溝５７の左端壁には弾性ばね４９が固定的に設置され、前記弾性ばね４９の右端には前記弾性溝５７とスライド可能に連結された弾性ブロック５８が固定的に設置され、前記弾性ブロック５８の上端は前記作業チャンバ４４の中に位置し、且つ前記弾性ブロック５８の上端にはモータ５６が固定的に設置され、前記モータ５６の左側には前記モータ５６で駆動される第一傘歯車３６が設置され、前記第一傘歯車３６の左側には回転可能な第二傘歯車３８が設置され、前記モータ５６の上側には回転可能な傾斜棒５５が設置され、前記傾斜棒５５の上側には回転可能な回転棒４０が設置され、前記回転棒４０が回転することで前記傾斜棒５５の回転を連動させることができ、前記傾斜棒５５の回転は前記モータ５６を通電し作動させることができ、それにより前記第一傘歯車３６を回転連動させ、前記傾斜棒５５の回転は前記第一傘歯車３６を左へ移動させ前記第二傘歯車３８と噛み合わせることができ、装置が坂を登る時に、前記第二傘歯車３８の回転は推進力を提供できる。
【００２２】
前記発電機構８１の下側には伝動機構８２が設置され、装置が坂を登る時に、前記伝動機構８２は前記発電機構８１を回転連動させることができ、それにより前記発電機構８１の発電能力は高められ、装置が坂を下る時に、前記伝動機構８２は前記動力機構８０を作動させることができる。  
【００２３】
さらに、前記発電機構８１について詳しく説明し、前記発電機構８１は前記発電チャンバ１９の左端壁と固定的に連結された発電機１２も含み、前記発電機１２と前記電源４８とは第一電線１１によって連結され、前記発電機１２の下端面には発電軸１３が回転可能に設置され、前記発電軸１３の下端には小型歯車１４が固定的に設置され、前記発電チャンバ１９の下端壁には旋転軸１５が回転可能に設置され、前記旋転軸１５には前記羽根１６が四つ固定的に設置され、前記羽根１６の下側には前記旋転軸１５と固定的に連結された大型歯車１８が設置され、前記大型歯車１８と前記小型歯車１４とは噛み合うことで動力を伝達できる。
【００２４】
さらに、前記動力機構８０について詳しく説明し、前記動力機構８０は前記電源４８の下側に位置するプラグ４５も含み、前記プラグ４５と前記電源４８とは二つの圧力ばね４６によって固定的に連結され、前記プラグ４５と前記モータ５６とは第二電線３１によって連結され、前記作業チャンバ４４の後端壁の中には第一捻り軸５１が回転可能に設置され、前記第一捻り軸５１と前記作業チャンバ４４の後端壁との間には第一捻りばね６９が設置され、前記第一捻り軸５１にはリール５２と前記傾斜棒５５とが固定的に設置され、前記傾斜棒５５は前記リール５２の前側に位置し、前記第一捻り軸５１の上側には前記作業チャンバ４４の後端壁と固定的に連結されたガイドブロック５３と定位棒４２とが設置され、前記定位棒４２は前記ガイドブロック５３の上側に位置し、前記定位棒４２には前記回転棒４０が回転可能に設置され、前記定位棒４２と前記回転棒４０との間には第二捻りばね４１が設置され、前記リール５２には前記ガイドブロック５３を通過し、且つ前記回転棒４０の下端面と固定的に連結されたロープ５３が巻き付いており、前記モータ５６の左端面にはモータ軸３５が回転可能に設置され、前記モータ軸３５の左端は外部に位置し、且つ前記モータ軸３５の左端には前記第一傘歯車３６が固定的に設置されている。
【００２５】
好ましくは、前記伝動機構８２は前記車身ピラー１０の右端面と固定的に連結されたトップチューブ２４を含み、前記トップチューブ２４の中には方形チャンバ２７が設置され、前記方形チャンバ２７の上端壁は頂部溝６２によって外部と連通し、前記方形チャンバ２７の下端壁は底部溝６０によって外部と連通し、前記方形チャンバ２７の後端壁の中には第二捻り軸６１が回転可能に設置され、前記第二捻り軸６１と前記方形チャンバ２７の後端壁との間には第二捻りばね７１が設置され、前記第二捻り軸６１には伝動歯車５９とカム６３とが固定的に設置され、前記カム６３は前記伝動歯車５９の前側に位置し、前記カム６３の上端は前記頂部溝６２を貫通している。
【００２６】
前記方形チャンバ２７の右端壁の中には左方に開口した昇降溝６４が設置され、前記昇降溝６４の上端壁には昇降ばね６５が固定的に設置され、前記昇降ばね６５の下端には前記昇降溝６４とスライド可能に連結された昇降ブロック６６が固定的に設置され、前記昇降ブロック６６の左端面には左端が前記方形チャンバ２７の中に位置する昇降棒６７が固定的に設置され、前記昇降棒６７の左端には前記伝動歯車５９と噛み合うことで動力を伝達できるラック棒２５が固定的に設置され、前記ラック棒２５の下端は前記底部溝６０を貫通し、前記方形チャンバ２７の後端壁には重力軸２６が回転可能に設置され、前記重力軸２６には下端が前記底部溝６０を貫通した重力棒７０が固定的に設置され、前記重力棒７０の下端には鉄球２９が固定的に設置されている。
【００２７】
好ましくは、前記トップチューブ２４の右端にはヘッドチューブ２０が固定的に設置され、前記ヘッドチューブ２０の中には前輪軸２３が回転可能に設置され、前記前輪軸２３には前輪２２が固定的に設置され、前記ヘッドチューブ２０の上端にはハンドル２１が装着され、前記車身ピラー１０の下端には円形ブロック３３が固定的に設置され、前記円形ブロック３３の中には動力軸３２が回転可能に設置され、前記円形ブロック３３のヘッドチューブ２０とは支持棒３０によって固定的に連結され、前記車身ピラー１０の左端面にはシートステー４３が固定的に設置され、前記シートステー４３の中には後輪軸３９が回転可能に設置され、前記後輪軸３９には前記第二傘歯車３８と後輪３７とが固定的に設置され、前記第二傘歯車３８は前記後輪３７の前側に位置する。
【００２８】
好ましくは、前記第二捻りばね４１と前記昇降ばね６５とは正常状態にある。
【００２９】
好ましくは、前記大型歯車１８は前記小型歯車１４より直径が長いため、発電に有利である。
【００３０】
装置の作動順番は以下の通りである。
【００３１】
１：利用者が装置を利用する時に、下り坂にある時に、鉄球２９は自身の重力によってトップチューブ２４に対して、反時計回りに回転する。
【００３２】
２：鉄球２９は重力棒７０の回転を連動させ、重力棒７０はラック棒２５を押して上昇させ、ラック棒２５と伝動歯車５９との噛み合いによって伝動歯車５９は回転し、カム６３は伝動歯車５９につれて回転し、発電ブロック１７は自身の重力よって回転し、羽根１６は発電ブロック１７につれて運動し、羽根１６を下り坂の逆方向に向かせ、羽根１６は風によって回転し、それにより、装置が坂を下る時に一定の阻止力を生じ、装置の速度を下げ、羽根１６は旋転軸１５の回転を連動させる。
【００３３】
３：大型歯車１８は旋転軸１５につれて回転し、小型歯車１４と大型歯車１８との噛み合いによって発電軸１３は回転駆動され、発電機１２を発電させ、電気は第一電線１１の伝導によって電源４８の中に入り貯蔵される。
【００３４】
４：装置が上り坂にある時に、鉄球２９は自身の重力によってトップチューブ２４に対して時計回りに回転し、回転棒４０を押して回転させ、回転棒４０はプラグ４５を押して上昇させ、プラグ４５を電源４８の中挿入させ、第二電線３１の伝導によってモータ５６は通電されて作動する。
【００３５】
５：モータ５６はモータ軸３５の回転を連動させ、それにより、第一傘歯車３６は駆動されて回転し、回転棒４０はロープ５４を引き動かし、リール５２を回転連動させ、傾斜棒５５はリール５２につれて回転し、モータ５６は押されて左へ運動し、第一傘歯車３６はモータ５６とともに左へ運動し、第一傘歯車３６は第二傘歯車３８と噛み合って動力を伝達し、第二傘歯車３８は駆動されて回転し、後輪軸３９は第二傘歯車３８とともに回転し、後輪３７を回転連動させ、それにより、装置の坂上りに助力する。
【００３６】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020203661.tif 000003
【図２】
2020203661.tif 000004
【図３】
2020203661.tif 000005
【図４】
2020203661.tif 000006
【図５】
2020203661.tif 000007
【図６】
2020203661.tif 000008
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
正面視で、車身ピラーを含み、前記車身ピラーの右側には発電ブロックが設置され、前記発電ブロックと前記車身ピラーとはヒンジで連結され、
前記車身ピラーの中には作業チャンバが設置され、前記作業チャンバの上端壁には電源が嵌め込むように設置され、前記発電ブロックの中には上方に開口した発電チャンバが設置され、前記発電チャンバの中には発電機構が設置され、前記発電機構は回転可能な羽根を含み、装置が下り坂にある時に、前記羽根は回転することで発電でき、且つ電気を前記電源に貯蔵でき、
前記作業チャンバの中には動力機構が設置され、前記動力機構は前記作業チャンバの下端壁の中に位置する弾性溝を含み、前記弾性溝が上方に開口し、前記弾性溝の左端壁には弾性ばねが固定的に設置され、前記弾性ばねの右端には前記弾性溝とスライド可能に連結された弾性ブロックが固定的に設置され、前記弾性ブロックの上端は前記作業チャンバの中に位置し、且つ前記弾性ブロックの上端にはモータが固定的に設置され、前記モータの左側には前記モータで駆動される第一傘歯車が設置され、前記第一傘歯車の左側には回転可能な第二傘歯車が設置され、前記モータの上側には回転可能な傾斜棒が設置され、前記傾斜棒の上側には回転可能な回転棒が設置され、前記回転棒が回転することで前記傾斜棒の回転を連動させることができ、前記傾斜棒の回転は前記モータを通電し作動させることができ、それにより前記第一傘歯車を回転連動させ、前記傾斜棒の回転は前記第一傘歯車を左へ移動させ前記第二傘歯車と噛み合わせることができ、装置が坂を登る時に、前記第二傘歯車の回転は推進力を提供でき、
前記発電機構の下側には伝動機構が設置され、装置が坂を登る時に、前記伝動機構は前記発電機構を回転連動させることができ、それにより前記発電機構の発電能力は高められ、装置が坂を下る時に、前記伝動機構は前記動力機構を作動させることができることを特徴とする省エネでエコなシェア乗物。
【請求項２】
前記発電機構は前記発電チャンバの左端壁と固定的に連結された発電機も含み、前記発電機と前記電源とは第一電線によって連結され、前記発電機の下端面には発電軸が回転可能に設置され、前記発電軸の下端には小型歯車が固定的に設置され、前記発電チャンバの下端壁には旋転軸が回転可能に設置され、前記旋転軸には前記羽根が四つ固定的に設置され、前記羽根の下側には前記旋転軸と固定的に連結された大型歯車が設置され、前記大型歯車と前記小型歯車とは噛み合うことで動力を伝達できることを特徴とする請求項１に記載の省エネでエコなシェア乗物。
【請求項３】
前記動力機構は前記電源の下側に位置するプラグも含み、前記プラグと前記電源とは二つの圧力ばねによって固定的に連結され、前記プラグと前記モータとは第二電線によって連結され、前記作業チャンバの後端壁の中には第一捻り軸が回転可能に設置され、前記第一捻り軸と前記作業チャンバの後端壁との間には第一捻りばねが設置され、前記第一捻り軸にはリールと前記傾斜棒とが固定的に設置され、前記傾斜棒は前記リールの前側に位置し、前記第一捻り軸の上側には前記作業チャンバの後端壁と固定的に連結されたガイドブロックと定位棒とが設置され、前記定位棒は前記ガイドブロックの上側に位置し、前記定位棒には前記回転棒が回転可能に設置され、前記定位棒と前記回転棒との間には第二捻りばねが設置され、前記リールには前記ガイドブロックを通過し、且つ前記回転棒の下端面と固定的に連結されたロープが巻き付いており、前記モータの左端面にはモータ軸が回転可能に設置され、前記モータ軸の左端は外部に位置し、且つ前記モータ軸の左端には前記第一傘歯車が固定的に設置されていることを特徴とする請求項１に記載の省エネでエコなシェア乗物。
【請求項４】
前記伝動機構は前記車身ピラーの右端面と固定的に連結されたトップチューブを含み、前記トップチューブの中には方形チャンバが設置され、前記方形チャンバの上端壁は頂部溝によって外部と連通し、前記方形チャンバの下端壁は底部溝によって外部と連通し、前記方形チャンバの後端壁の中には第二捻り軸が回転可能に設置され、前記第二捻り軸と前記方形チャンバの後端壁との間には第二捻りばねが設置され、前記第二捻り軸には伝動歯車とカムとが固定的に設置され、前記カムは前記伝動歯車の前側に位置し、前記カムの上端は前記頂部溝を貫通していることを特徴とする請求項１に記載の省エネでエコなシェア乗物。
【請求項５】
前記方形チャンバの右端壁の中には左方に開口した昇降溝が設置され、前記昇降溝の上端壁には昇降ばねが固定的に設置され、前記昇降ばねの下端には前記昇降溝とスライド可能に連結された昇降ブロックが固定的に設置され、前記昇降ブロックの左端面には左端が前記方形チャンバの中に位置する昇降棒が固定的に設置され、前記昇降棒の左端には前記伝動歯車と噛み合うことで動力を伝達できるラック棒が固定的に設置され、前記ラック棒の下端は前記底部溝を貫通し、前記方形チャンバの後端壁には重力軸が回転可能に設置され、前記重力軸には下端が前記底部溝を貫通した重力棒が固定的に設置され、前記重力棒の下端には鉄球が固定的に設置されていることを特徴とする請求項４に記載の省エネでエコなシェア乗物。
【請求項６】
前記トップチューブの右端にはヘッドチューブが固定的に設置され、前記ヘッドチューブの中には前輪軸が回転可能に設置され、前記前輪軸には前輪が固定的に設置され、前記ヘッドチューブの上端にはハンドルが装着され、前記車身ピラーの下端には円形ブロックが固定的に設置され、前記円形ブロックの中には動力軸が回転可能に設置され、前記円形ブロックのヘッドチューブとは支持棒によって固定的に連結され、前記車身ピラーの左端面にはシートステーが固定的に設置され、前記シートステーの中には後輪軸が回転可能に設置され、前記後輪軸には前記第二傘歯車と後輪とが固定的に設置され、前記第二傘歯車は前記後輪の前側に位置することを特徴とする請求項５に記載の省エネでエコなシェア乗物。
【請求項７】
前記第二捻りばねと前記昇降ばねとは正常状態にあることを特徴とする請求項６に記載の省エネでエコなシェア乗物。
【請求項８】
前記大型歯車は前記小型歯車より直径が長いため、発電に有利であることを特徴とする請求項２に記載の省エネでエコなシェア乗物。